(57)【要約】      （修正有）【課題】日々の生活の中で避けて通れない排尿問題は一日のトイレ回数が８回以上は多い方、８回以下は少ない方と、８回が目安となっているものの、病気やケガ、加齢と共に社会環境の変化や個々の生活環境の変化、又運動不足等様々なストレスが起因となり、８回を超える人が増えているのも事実である。本発明は、磁石を用いて排尿回数を低減させることができる磁気健康下着及びパッドを提供する。【解決手段】本発明の磁気健康下着及びパッドは、人体に装着した時に尿道口に対応する位置を中心としてほぼ左右対称の位置に２．５ｃｍ〜３．５ｃｍの間隔をおいて磁石がそれぞれ一個ずつ装着されていることを特徴とする。【選択図】図１
2020037765.tif 000002
【特許請求の範囲】
【請求項１】
人体に装着した時に尿道口に対応する位置を中心としてほぼ左右対称の位置に２．５ｃｍ〜３．５ｃｍの間隔をおいて磁石がそれぞれ一個ずつ装着されていることを特徴とする磁気健康下着及びパッド。
【請求項２】
前記磁石が装着される場所には磁石収納ポケットが設けられている請求項１記載の磁気健康下着及びパッド。
【請求項３】
前記磁石の交換が自由にできる請求項１又は２記載の磁気健康下着及びパッド。
【請求項４】
前記磁石収納ポケット付ガードルショーツのポケットに、病気やケガの為、又その後遺症が残り、片手が不自由になり磁石の交換が困難な人の為に下着に粘着テープで磁石を固定して使う請求項２記載の磁気健康下着及びパッド。
【請求項５】
磁石収納ポケットの大きさは、内寸で磁石サイズの０．５ｃｍ巾で出入口は上部とし、ポケットの深さは２．５ｃｍ以上とする請求項２記載の磁気健康下着及びパッド。
【請求項６】
ポケットを含む陰部を覆う部位は、コットン素材である請求項１ないし５のいずれか１項記載の磁気健康下着及びパッド。
【請求項７】
前記磁石は、８０ミリテスラ〜１５０ミリテスラの磁束密度を有する請求項１ないし６のいずれか１項記載の磁気健康下着及びパッド。
【請求項８】
磁気パッドは、縦１５ｃｍ、横５ｃｍの４隅が丸みをおびた長方形とし半分より２ｃｍ上部に、磁石を配置する請求項１ないし７のいずれか１項記載の磁気健康下着及びパッド。
【請求項９】
パッドの裏側には、下着に固定する為の粘着テープを貼りつける請求項８記載の磁気健康下着及びパッド。
【請求項１０】
パッドのベースは吸水性のあるものである請求項１ないし９のいずれか１項記載の磁気健康下着及びパッド。
【請求項１１】
下着は男性用ブリーフである請求項１ないし１０のいずれか１項記載の磁気健康下着及びパッド。
【発明の詳細な説明】
【技術分野】
【０００１】
本発明はガードルショーツ及び磁気パッドに係る。
【背景技術】
【０００２】
我が国は医療技術の発展、食生活の安定化に伴い、国民の平均寿命は延びの一途を辿り、今では世界的にもランキング上位の長寿国となっている。その一方で、健康には程遠い状態での長寿者が増えつつあるのも否めない事実として懸念されている。日々の生活の中で避けて通れない排尿問題は一日のトイレ回数が８回以上は多い方、８回以下は少ない方と、８回が目安となっているものの、病気やケガ、加齢と共に社会環境の変化や個々の生活環境の変化、又運動不足等様々なストレスが起因となり、８回を超える人が増えているのも事実である。  
【０００３】
本発明は頻尿で困っている人が毎日のトイレ回数が減ることにより、日常生活は勿論、仕事面でも趣味を楽しむにしても、歩きや車での移動途中でトイレの心配が少なくなり、トイレの心配からくるストレスが軽減されることを目的として、３年以上に渡り磁石の使用個数、磁石取付けの位置関係、磁石を取付けた下着の装着時間等、幾多の創意工夫と試行錯誤を重ね、一日のトイレ回数が１２回〜１５回だったものが、今では７回〜８回に減り大便のあった日でも１０回以内となり画期的なものとなった。  本発明は、磁石収納ポケット付ガードルショーツ  磁気パッドに係るあらゆる分野までその技術分野とする。  
【０００４】
毎日のトイレ回数が多い為に、日常の買い物や、仕事、趣味等の移動時１〜２時間の目的地まで間に合わず、公衆トイレを利用する時は良いのだが、コンビニでトイレブレイクする時はトイレだけを借りるのは申し訳なく買い物を余儀なくされ、スーパーとかに比べて高い買い物になったり、トイレやコンビニを探したり、時間のロスになったりする。  
【０００５】
トイレの心配が先に立ち、出無精になり、観光や温泉巡り等、友達からの誘いでさえ断ってしまい、何度も断っているうちに声がかからなくなってしまい、そうこうしているうちに性格までも暗くなってしまう人もいる。  
【０００６】
せめて午前と午後に一回ずつでもトイレ回数が減ったなら、日々の生活が楽しく仕事でも趣味を楽しむにも、行動範囲が広がるのに〜と思っている人達にとって明るい未来が開けると思う、又就寝中に一回減ったとしたら、それは安眠に繋がるし、安眠を得られず睡眠負債という流行語まで飛び交う昨今、安眠こそが、まだ大丈夫という健康への自信回復に繋がると思う。  磁気を利用した健康下着類として  特許文献１，２，３，４がある。
【先行技術文献】
【特許文献】
【０００７】
【特許文献１】特開２０１１−１０６３５号公報
【特許文献２】特開２０１２−５５６５０号公報
【特許文献３】実用新案登録第３１０２６１０号公報
【特許文献４】実用新案登録第３０８９７０７号公報
【発明の概要】
【発明が解決しようとする課題】
【０００８】
しかし、特許文献１〜４いずれも尿漏れ防止を目的とするものであり、頻尿防止を目的とするものではない。すなわち、尿漏れと頻尿とは別の現象であり、前者は排尿の回数とは関係がなく、意志に反して排尿が生じるという現象である。一方頻尿は排尿の回数が多いという現象であり、頻尿の場合、尿漏れを伴うこともあるし、伴わないこともある。現に、前述した従来技術による健康下着によっても頻尿は防止されない。これは、前者は筋肉の弛緩が主な原因と考えられるのに対し、後者は排尿時期を知らせる物質の発生あるいはその感知機能の異常に起因する為ではないかと推測される。  
【０００９】
日本排尿機能学会によると、尿失禁で悩んでいる人は日本全国で１０００万人、頻尿トラブルをかかえている人は実に４５００万人に及ぶという。還暦を過ぎ老人と言われる年齢に達すると、トイレが近くなっても受診するのがおっくうだったり、極度の頻尿でない限り歳のせいと半ば諦めてしまう人も多く、それより少し若い中年層では、仕事が忙しい理由もあるが、恥ずかしさから病院が遠のくのだという。頻尿から尿失禁へと進向しないうちになんとかしたいものである。  
【００１０】
前記先行技術としてあげた従来の健康下着類のどれもが多数の磁石を使っている為、コストのかかる物となっている。  特許文献１〜４のどれもが尿失禁に関するものであり、頻尿防止については全くふれていない。血行促進、健康増進の為、その記載はあるが、トイレ回数を低減させることについては明記されていない。又、詳しい磁石の位置も不明である。  本発明は、磁石を用いて排尿回数を低減させることができる磁気健康下着及びパッドを提供することを目的とする。
【課題を解決するための手段】
【００１１】
請求項１に係る発明は、人体に装着した時に尿道口に対応する位置を中心としてほぼ左右対称の位置に２．５ｃｍ〜３．５ｃｍの間隔をおいて磁石がそれぞれ一個ずつ装着されていることを特徴とする磁気健康下着及びパッドである。  請求項２に係る発明は、前記磁石が装着される場所には磁石収納ポケットが設けられている請求項１記載の磁気健康下着及びパッドである。  請求項３に係る発明は、前記磁石の交換が自由にできる請求項１又は２記載の磁気健康下着及びパッドである。  請求項４に係る発明は、前記磁石収納ポケット付ガードルショーツのポケットに、病気やケガの為、又その後遺症が残り、片手が不自由になり磁石の交換が困難な人の為に下着に粘着テープで磁石を固定して使う請求項２記載の磁気健康下着及びパッドである。  請求項５に係る発明は、磁石収納ポケットの大きさは、内寸で磁石サイズの巾０．５ｃｍで出入口は上部とし、ポケットの深さは２．５ｃｍ以上とする請求項２記載の磁気健康下着及びパッドである。  請求項６に係る発明は、ポケットを含む陰部を覆う部位は、コットン素材である請求項１ないし５のいずれか１項記載の磁気健康下着及びパッドである。  請求項７に係る発明は、前記磁石は、８０ミリテスラ〜１５０ミリテスラの磁束密度を有する請求項１ないし６のいずれか１項記載の磁気健康下着及びパッドである。  請求項８に係る発明は、磁気パッドは、縦１５ｃｍ、横５ｃｍの４隅が丸みをおびた長方形とし半分より２ｃｍ上部に、磁石を配置する請求項１ないし７のいずれか１項記載の磁気健康下着及びパッドである。  請求項９に係る発明は、磁気パッドの裏側には、下着に固定する為の粘着テープを貼りつける請求項８記載の磁気健康下着及びパッドである。  請求項１０に係る発明は、磁気パッドのベースは吸水性のあるものである請求項１ないし９記載のいずれか１項記載の磁気健康下着及びパッドである。  請求項１１に係る発明は、下着は男性用ブリーフである請求項１ないし１０のいずれか１項記載の磁気健康下着及びパッドである。
【発明の効果】
【００１２】
本発明の効果を、本発明をなすに際して得た知見とともに説明する。  本発明者は、頻尿を低減させるために数多くの実験を重ねたところ、まず、尿漏れ防止と頻尿防止とは異なるとの知見を得た。そして、頻尿防止の場合、磁石の配置位置が重要な要素であることの知見を実験により得た。すなわち、磁石の配置位置は、尿道口に近ければいいというわけではなく、所定の限られた範囲内に配置することが必要であることを知見した。いいかえると、ある特定の範囲内の位置に配置した場合その範囲以外に配置した場合とは効果に相違があることを見出し本発明をなすに至った。  
【００１３】
本発明によれば以下の効果が得られる。１  下着に磁石を忍ばせているだけで、一日のトイレ回数が１２回〜１５回だった頻尿が使用三ヶ月位で効果が出始め、徐々に回数が少なくなり、水分補給は十分なのに、今では７回〜８回に減った。さっき行ったばっかりなのに〜とか２０分か３０分でもう行きたくなった〜とかは全く無くなった。大便のあった日でも１０回以内になり、頻尿問題が改善されたことが何よりの効果である。２  磁石の使用個数が最低限の２個でも十分な効果が得られた。３  磁石を１０個や８個使っている健康促進パンツや健康下着等に比べ２個使用だとかなりのコストダウンになる。４  試してみたくても、高価だと買うのが大儀だったりするが、安価だとだれでも気軽に試すことができる。５  磁石の効力が薄れた時、自由に磁石の交換が出来る。６  磁石の効力が薄れ、健康促進パンツや健康下着等を取り換えた時、下着そのもののもったいないが回避できる。７  磁石収納ポケット付ガードルショーツの交換磁石は、症状により磁力の強度が選択できる。８  磁石収納ポケット付ガードルショーツは、磁石を入れないで普通のショーツとしても使えるので消耗するまで長く使える。９  磁石収納ポケット付ガードルショーツ、磁気パッド共に人目を気にしないで装着できる。１０  磁気パッドは女性特有のおりものや軽失禁にも対応できる。１１  磁石収納ポケット付ガードルショーツ及び磁気パッドの磁石は柔らかコットン素材で覆われている為、肌に優しいものとなる。
【図面の簡単な説明】
【００１４】
【図１】磁石収納ポケット付ガードルショーツの裏側前面
【図２】磁気パッドの表面
【図３】磁気パッドの横面
【図４】磁石の間隔を変えてみてのトイレ回数のグラフ
【発明を実施するための形態】
【００１５】
人体に装着した時に尿道口に対応する位置を中心としてほぼ左右対称の位置に２．５ｃｍ〜３．５ｃｍの間隔をおいて磁石がそれぞれ一個ずつ装着されていることを特徴とする磁気健康下着及びパッド。  尿道口を中心として左右に位置する箇所に着衣時に対応する部分に２．５ｃｍ〜３．５ｃｍの間隔をおいて磁石がそれぞれ一個ずつ装着されていることを特徴とする磁気健康下着及びパッドである。  
【００１６】
磁石は、尿道口を中心として左右に位置する箇所に対応する部分に２．５ｃｍ〜３．５ｃｍの間隔をおいて装着される。尿道口に近いほど効果が高いというわけではない。又、３．５ｃｍより離れると急激に効果が低下する。すなわち、トイレ回数が増える。  前記磁石が装着される場所には磁石収納ポケットが設けられている。  日々の生活の中で避けて通れない排尿問題、頻尿で困っているもののオムツや尿とりパッドはまだ使いたくないと、社会意識、自己意識は全くの健常者であるにもかかわらず、頻尿がゆえに出無精になり、内向的性格になったりする。そのような人達が一日に数回でもトイレ回数が減ることにより、まだ大丈夫と明るさを取り戻し、健康的生活が送れるように、磁石を用いての頻尿対策の実験成功例である。磁石の交換が自由に行うことが出来る。  
【００１７】
磁石収納ポケット付ガードルショーツのポケットに、病気やケガの為、又その後遺症が残り、片手が不自由になり磁石の交換が困難な人の為に下着に粘着テープで磁石を固定して使う。  磁石の温め効果で、膀胱、尿道、その周りの筋肉や神経等に程好い刺激を与えることにより、血液の循環が善くなり血行が促進されて排尿間隔を長くし、トイレ回数を少なくすることを目的とする。磁石収納ポケット付ガードルショーツは、尿道口の左右に２．５ｃｍ〜３．５ｃｍの間隔で位置する所に磁石収納ポケットを付け、磁
石を１個ずつ入れて装着する。磁石収納ポケットの大きさは、内寸で磁石サイズの０．５ｃｍ巾で出入口は上部とし、ポケットの深さは２．５ｃｍ以上とする。この深さがあればフタ無しポケットでも磁石が抜け出たりしない。  磁石収納ポケット付ガードルショーツは、ポケットを含む陰部を覆う部位は強度はあるものの、肌ざわりの良い柔らかコットン素材を利用し、磁石が直接肌に触れることもなく、又コットン素材は化繊アレルギーの人にも皮膚に優しいものとなり、デリケートゾーンでの磁石の使用も安心して装着できる。  磁石収納ポケット付ガードルショーツに使用する磁石は一般的に市販されている磁石が使用できるので、症状により磁力の強度が選択できる。  磁気パッドは縦１５ｃｍ横５ｃｍの４隅が丸みをおびた長方形とし半分より２ｃｍ上部に、２．５ｃｍ〜３．５ｃｍの間隔で左右に１個ずつ磁石を配置し、柔らかコットン素材でカバーする。  パッドの裏側には、下着に固定する為の粘着テープを貼りつける。又、パッドのベースは女性特有のおりもの、咳やクシャミ時の軽失禁対応の為に吸水性のあるものとする。  磁気パッドは、粘着テープで下着に固定して使うので、ズレる心配もなく薄づくりなので、外観は何ら違和感がなく、普段使いの下着での装着は、例えば温泉へ行ったりしても人目を気にしないで安心して使える。  磁気パッドはショーツを着衣した時、尿道口の左右に磁石が位置するようにテープを剥がして下着に固定して使う。  磁気パッドは使い捨てなので、磁石の効力は一番弱いもので良い。効力の短い磁石はコストダウンになり、安価で仕上がる。  磁気パッドは、磁石収納ポケット付ガードルショーツのポケットに磁石の出し入れが出来るものの、多忙や何らかの事情で、それが面倒だと思う人でも使えるので、どちらでも選択できる。  磁石収納ポケット付ガードルショーツは、就寝中の使用もありうるので一般的ガードルのようなしめつけ感がなく、身体に程好くフィットする感じの素材で、云わばガードルとショーツのハーフのようなものとする。  なお、男性の場合の下着は、トランクスタイプよりはブリーフタイプが好ましい。
【実施例】
【００１８】
（実施例１）  図１に実施例１を示す。    １１は    ガードルショーツ上部であり    １２は    ガードルショーツ裏側前面である    １３は    ポケットを含む陰部を覆う部位は強度のある柔らかコットン素材を使用    １４は    ポケット上部で磁石の出入り口になる    １５は    ポケットの大きさで巾は磁石サイズの０．５ｃｍ深さは２．５ｃｍとし    １６は    ポケットに各１個ずつ磁石を入れる    １７は    磁石と磁石の間隔２．５ｃｍ〜３．５ｃｍとする    １８は    尿道口を想定したものである  初めは手持ちのショーツに磁石を配置し磁石に当て布をして磁石の直近を手縫いして磁石を取り付けていた。磁石を交換する時は、縫い目を解いて、又縫い直してを繰り返していたが、とても手間がかかるので、ポケットにしてみた所、磁石サイズの巾で深さがあれば磁石が抜け出したりしないことを発見、磁石のずれもなく、磁石の交換が容易にできるようになった。  
【００１９】
（実施例２）  図２及び図３に実施例２を示す。    ２１は    磁気パッド表面、縦１５ｃｍ、横５ｃｍ、４隅丸みをおびた長方形    ２２は    磁石を含むパッド表面を柔らかコットン素材で覆う    ２３は    パッド半分の位置より２ｃｍ上部に磁石２個設置する    ２４は    パッド半分の位置    ２５は    パッドの磁石の間隔は２．５ｃｍ〜３．５ｃｍ    ２６は    パッドのベースは女性特有のおりもの、軽失禁対応の為吸水性のあるもの    ２７は    パッドの裏面に下着に固定する為の粘着テープを設ける図３の    ３１は    パッドの横面    ３２は    パッドに設置された磁石    ３３は    パッドは吸水性のあるベース、表面は柔らかコットン素材    ３４は    パッドの裏面に下着に固定する為の粘着テープ  必要に応じて、市販のおりものシートに横からカッターで切りこみを入れてシートの間に両面テープで磁石を固定して使っていたが、とても手間がかかるし危ないし、既成の商品があればどんなに便利だろうと思った。［磁石使用テスト］  実施例１に係るガードルショーツを用いて使用テストを行った。  初めは一日に１時間からスタートし、一週間毎に２時間、３時間と使用時間を増やして数ヶ月、副作用が無いのを確認してから日中だけ使ってみた。これは、磁石の使用個数を２個に決めてからの、朝起きてから夜の入浴タイム迄の使用時間１５時間前後で磁石と磁石の間隔を変えてみての約３年間のデータである。磁石と磁石の間隔３ｃｍが一番効き目が認められた。  平成２９年春、特許文献１と特許文献２を知ってから就寝時の使用も試してみたがテスト期間が短かったせいかトイレ回数は７回〜８回より減る事はなかった。又、体質が元に戻ったかもしれない？と思い、しばらく磁石の使用をストップしてみたらトイレ回数は９回〜１０回と増えた。これは大変と毎日休むことなく昼夜使い続けて、約半年で夜中に起きるトイレ回数が０．５回〜１回は減った。今しばらく続けたら確実に１回減り、更に健康寿命が延びるのでは〜と期待が湧く。  泌尿器科を受診することなしに頻尿問題が改善され、今では磁石なしの生活は考えられない必需品になっている。  自らの実験では恐る恐る一日１時間からのスタートだったので、効果が出始める迄三ヶ月位かかったが、最初から２４時間態勢で実験して下さっている人達は、約一ヶ月で、一日のトイレ回数が１０回を超えていたという７０才女性は、１０回未満になり、９回の日も８回の日もある、と喜びの声が届いた。又夜に３回は起きていたという６５才女性は２回しか起きなくなった、と感激の声も届いている。更に６８才女性は、夜は起きない日もあるし、起きても１回、一日のトイレ回数は１０回くらいだから歳相応だと思い頻尿で困った感じはしてなかったという、でも磁石のお陰でトータル０．５回〜１回減ったと喜んでくれている。  効果の有無は多少の個人差はあるやも知れないが、磁石の効果で健康を感じてくれる人が増え、将来広範に渡り沢山の人々に普及して行くものと予想される。
【符号の説明】
【００２０】
１１    ガードルショーツ上部１２    ガードルショーツ裏側前面１３    ポケットを含む陰部を覆う部位１４    ポケット出入口１５    ポケット１６    ポケットに入った磁石１７    ポケットとポケットの間隔１８    尿道口想定２１    磁気パッド表面２２    磁石を含むパッド表面を覆う柔らかコットン素材２３    磁石２４    パッドの半分の位置２５    磁石と磁石の間隔２６    パッドのベース２７    パッドの裏面に下着に固定する為の粘着テープ３１    磁気パッド横面３２    磁石３３    パッドのベース３４    パッドの裏面に下着に固定する為の粘着テープ４１    磁石の間隔を変えてみてのトイレ回数グラフ
【図１】
2020037765.tif 000003
【図２】
2020037765.tif 000004
【図３】
2020037765.tif 000005
【図４】
2020037765.tif 000006